(57)【要約】【課題】  集魚機能を有する錘としての魚釣り用部材であって、釣糸との連結部分のがたつきをなくして、魚の当たりを即座に正確に伝えることができる魚釣り用部材を提供する。【解決手段】  集魚機能を有する錘としての魚釣り用部材Ａは、本体部１０と、筒状部５０とを有し、本体部１０は、錘２０と、ビーズ群２２と、連結部３０と、糸状部４０とを有している。筒状部５０は、柔軟性や弾力性のあるチューブにより形成されている。魚釣り用部材Ａには、両端に一対の連結部３０が設けられているので、一方に、釣り竿側の釣糸を連結し、他方には、仕掛け側の釣糸を連結する。その際、連結部３０と釣糸に設けられた連結部材とを筒状部５０で一体にカバーすることにより、連結部３０と連結部材とのがたつきを解消することができる。【選択図】        図１
2006087320.tif 000002
【特許請求の範囲】
【請求項１】
集魚器及び／又は錘として用いる魚釣り用部材であって、
魚釣り用部材の少なくとも一方に、釣糸等の他の部材に設けられた連結部材と連結するための連結部と、該連結部と連結部材とを一体に固定するための固定部材と、を有することを特徴とする魚釣り用部材。
【請求項２】
魚釣りに用いる魚釣り用部材であって、
直列に複数設けられたビーズ状部材を有するビーズ群と、
魚釣り用部材の両端に設けられた連結部で、釣糸等の他の部材に設けられた連結部材と連結するための連結部と、
該連結部と連結部材とを一体に固定するための固定部材と、
を有することを特徴とする魚釣り用部材。
【請求項３】
魚釣りに用いる魚釣り用部材であって、
錘と、複数のビーズ状部材とが直列に設けられた直列状本体部と、
魚釣り用部材の両端に設けられた連結部で、釣糸等の他の部材に設けられた連結部材と連結するための連結部と、
該連結部と連結部材とを一体に固定するための固定部材と、
を有することを特徴とする魚釣り用部材。
【請求項４】
上記固定部材が、筒状の部材であることを特徴とする請求項１又は２又は３に記載の魚釣り用部材。
【請求項５】
魚釣りに用いる魚釣り用部材であって、
錘と、該錘の両側に設けられた複数のビーズ状部材とが直列に設けられた直列状本体部で、該錘とビーズ状部材に挿通穴が設けられた直列状本体部と、
該直列状本体部を構成する該錘とビーズ状部材に挿通された、糸状の部材からなる糸状部と、
該糸状部の両端に設けられた連結部で、釣糸等の他の部材に設けられた連結部材と連結するための連結部と、
該魚釣り用部材の連結部側の端部にそれぞれ設けられた筒状部で、該直列状本体部を構成するビーズ状部材における端部側のビーズ状部材や該連結部を内部にカバーする筒状部と、
を有することを特徴とする魚釣り用部材。
【請求項６】
上記直列状本体部を構成する錘とビーズ状部材における少なくとも一部の表面は光を反射する機能を有し、上記直列状本体部を構成する錘とビーズ状部材における少なくとも一部の表面は蓄光機能を有していることを特徴とする請求項３又は５に記載の魚釣り用部材。
【請求項７】
上記連結部が、スナップ形状であることを特徴とする請求項１又は２又は３又は４又は５又は６に記載の魚釣り用部材。
【請求項８】
上記固定部材又は筒状部が透明な部材により形成されていることを特徴とする請求項１又は２又は３又は４又は５又は６又は７に記載の魚釣り用部材。
【発明の詳細な説明】
【技術分野】
【０００１】
本発明は、魚釣り用部材に関するものであり、特に、釣糸に取り付けて使用する集魚機能を有する錘に関するものである。
【背景技術】
【０００２】
従来より、集魚機能を有する錘として、ビーズ状の部材を直列状に糸状部材で連結し、その上端と下端に釣糸と連結するための連結部材を設けたものが存在する。このような集魚機能を有する錘を釣糸に取り付けて使用することにより、ビーズ状の部材自身の重みで錘として機能するのみならず、ビーズ状の部材の表面を光沢があり光が反射する素材で形成することにより、水中で光が反射して集魚器としても機能する。
【０００３】
なお、出願人は、先行技術文献の調査は行っておらず、記載すべき先行技術文献は存在しない。
【発明の開示】
【発明が解決しようとする課題】
【０００４】
しかし、該集魚機能を有する錘における連結部は、通常スナップ状の形状を呈し、これに釣糸の端部に取り付けられた環状部材を掛止させることにより、釣糸と該集魚機能を有する錘とを連結する形となるので、該連結部と環状部材との間で、一方の動きが他方に即座に伝わらず、魚の当たりが即座に正確に釣り竿にまで伝わらず、釣果を向上させることができないという問題があった。つまり、該集魚機能を有する錘には、上端と下端に該連結部が設けられていることから、上端に竿側の釣糸を連結させ、下端には、釣り針や錘等が取り付けられた釣糸を連設させると、集魚機能を有する錘と釣糸の２カ所の連結部分でがたつきが生じて、魚の当たりが２カ所の連結部の箇所で即座に正確に伝わらず、釣り竿の操作のタイミングを逸してしまうおそれがあった。
【０００５】
そこで、本発明は、集魚機能を有する錘としての魚釣り用部材であって、釣糸との連結部分のがたつきをなくして、魚の当たりを即座に正確に伝えることができる魚釣り用部材を提供することを目的とするものである。
【課題を解決するための手段】
【０００６】
本発明は上記問題点を解決するために創作されたものであって、第１には、集魚器及び／又は錘として用いる魚釣り用部材であって、魚釣り用部材の少なくとも一方に、釣糸等の他の部材に設けられた連結部材と連結するための連結部と、該連結部と連結部材とを一体に固定するための固定部材と、を有することを特徴とする。
【０００７】
この第１の構成の魚釣り用部材は、釣糸等の他の部材に設けられた連結部材に連結して使用する。その際、この固定部材により、連結部と他の部材側の連結部材とを一体に固定しておく。すると、この固定部材により連結部と連結部材とのがたつきが解消されて、魚の当たり等の小さな衝撃を即座に確実に釣り竿側に伝えることができ、よって、釣り竿等の操作のタイミングが遅れることがない。
【０００８】
なお、上記第１の構成を以下のようにしてもよい。すなわち、「集魚器及び／又は錘として用いる魚釣り用部材であって、魚釣り用部材の少なくとも一方に、釣糸等の他の部材に設けられた連結部材と連結するための連結部と、該魚釣り用部材の連結部側の端部に設けられた筒状部と、を有することを特徴とする魚釣り用部材。」とする。この場合でも、この筒状部により連結部と連結部材とをカバーすることにより一体に固定できるので、がたつきを解消することが可能となる。
【０００９】
また、第２には、魚釣りに用いる魚釣り用部材であって、直列に複数設けられたビーズ状部材を有するビーズ群と、魚釣り用部材の両端に設けられた連結部で、釣糸等の他の部材に設けられた連結部材と連結するための連結部と、該連結部と連結部材とを一体に固定するための固定部材と、を有することを特徴とする。
【００１０】
この第２の構成の魚釣り用部材は、釣糸等の他の部材に設けられた連結部材に連結して使用する。つまり、一方の連結部には、釣り竿側の釣糸に設けられた連結部材を連結させ、他方の連結部には、仕掛けにおける釣糸に設けられた連結部材を連結させる。このように使用することにより、ビーズ状部材の表面に光を反射する機能を持たせたり、蓄光機能を持たせたりすることにより、集魚機能を持たせることができ、魚釣り用部材を集魚器として使用できるとともに、ビーズ群の重みを利用して中錘として使用することができる。また、連結部により連結を行う際に、固定部材により、連結部と他の部材側の連結部材とを一体に固定しておく。この固定部材により連結部と連結部材とのがたつきが解消されて、魚の当たり等の小さな衝撃を即座に確実に釣り竿側に伝えることができ、よって、釣り竿等の操作のタイミングが遅れることがない。
【００１１】
なお、上記第２の構成を以下のようにしてもよい。すなわち、「魚釣りに用いる魚釣り用部材であって、直列に複数設けられたビーズ状部材を有するビーズ群と、魚釣り用部材の両端に設けられた連結部で、釣糸等の他の部材に設けられた連結部材と連結するための連結部と、該魚釣り用部材の連結部側の両端部にそれぞれ設けられた筒状部と、を有することを特徴とする魚釣り用部材。」とする。この場合でも、この筒状部により連結部と連結部材とをカバーすることにより一体に固定できるので、がたつきを解消することが可能となる。
【００１２】
また、第３には、魚釣りに用いる魚釣り用部材であって、錘と、複数のビーズ状部材とが直列に設けられた直列状本体部と、魚釣り用部材の両端に設けられた連結部で、釣糸等の他の部材に設けられた連結部材と連結するための連結部と、該連結部と連結部材とを一体に固定するための固定部材と、を有することを特徴とする。
【００１３】
この第３の構成の魚釣り用部材は、釣糸等の他の部材に設けられた連結部材に連結して使用する。つまり、一方の連結部には、釣り竿側の釣糸に設けられた連結部材を連結させ、他方の連結部には、仕掛けにおける釣糸に設けられた連結部材を連結させる。このように使用することにより、直列状本体部を構成する各部材の表面に光を反射する機能を持たせたり、蓄光機能を持たせたりすることにより、集魚機能を持たせることができ、魚釣り用部材を集魚器として使用できるとともに、錘の重みを利用して中錘として使用することができる。また、連結部により連結を行う際に、固定部材により、連結部と他の部材側の連結部材とを一体に固定しておく。この固定部材により連結部と連結部材とのがたつきが解消されて、魚の当たり等の小さな衝撃を即座に確実に釣り竿側に伝えることができ、よって、釣り竿等の操作のタイミングが遅れることがない。
【００１４】
なお、上記第３の構成を以下のようにしてもよい。すなわち、「魚釣りに用いる魚釣り用部材であって、錘と、複数のビーズ状部材とが直列に設けられた直列状本体部と、魚釣り用部材の両端に設けられた連結部で、釣糸等の他の部材に設けられた連結部材と連結するための連結部と、該魚釣り用部材の連結部側の両端部にそれぞれ設けられた筒状部と、を有することを特徴とする魚釣り用部材。」とする。この場合でも、この筒状部により連結部と連結部材とをカバーすることにより一体に固定できるので、がたつきを解消することが可能となる。
【００１５】
また、第４には、上記第１又は第２又は第３の構成において、上記固定部材が、筒状の部材であることを特徴とする。この筒状の部材により連結部と連結部材とをカバーすることにより、連結部と連結部材とを一体に固定することができる。
【００１６】
また、第５には、魚釣りに用いる魚釣り用部材であって、錘と、該錘の両側に設けられた複数のビーズ状部材とが直列に設けられた直列状本体部で、該錘とビーズ状部材に挿通穴が設けられた直列状本体部と、該直列状本体部を構成する該錘とビーズ状部材に挿通された、糸状の部材からなる糸状部と、該糸状部の両端に設けられた連結部で、釣糸等の他の部材に設けられた連結部材と連結するための連結部と、該魚釣り用部材の連結部側の端部にそれぞれ設けられた筒状部で、該直列状本体部を構成するビーズ状部材における端部側のビーズ状部材や該連結部を内部にカバーする筒状部と、を有することを特徴とする魚釣り用部材。
【００１７】
この第５の構成の魚釣り用部材は、釣糸等の他の部材に設けられた連結部材に連結して使用する。つまり、一方の連結部には、釣り竿側の釣糸に設けられた連結部材を連結させ、他方の連結部には、仕掛けにおける釣糸に設けられた連結部材を連結させる。このように使用することにより、直列状本体部を構成する各部材の表面を光を反射する素材で形成することにより、該部材が光を反射するので、魚釣り用部材を集魚器として使用できるとともに、錘の重みを利用して中錘として使用することができる。また、連結部により連結を行う際に、固定部材により、連結部と他の部材側の連結部材とを一体に固定しておく。この固定部材により連結部と連結部材とのがたつきが解消されて、魚の当たり等の小さな衝撃を即座に確実に釣り竿側に伝えることができ、よって、釣り竿等の操作のタイミングが遅れることがない。
【００１８】
また、第６には、上記第３又は第５の構成において、上記直列状本体部を構成する錘とビーズ状部材における少なくとも一部の表面は光を反射する機能を有し、上記直列状本体部を構成する錘とビーズ状部材における少なくとも一部の表面は蓄光機能を有していることを特徴とする。これにより、昼間等の光のある状態においては、光を反射する部材により集魚機能が得られ、一方、夜等の光のない又は弱い状態においては、蓄光機能を有する部材により集魚機能が得られるので、状況に関わらず集魚機能を得ることができる。
【００１９】
また、第７には、上記第１から第６までのいずれかの構成において、上記連結部が、スナップ形状であることを特徴とする。
【００２０】
また、第８には、上記第１から第７までのいずれかの構成において、上記固定部材又は筒状部が透明な部材により形成されていることを特徴とする。このように透明な部材により形成されていることにより、内部にビーズ状部材等の集魚機能を有する部材が収納されている場合でも、この内部に収納された部材からも光が反射や発光が可能になるので、集魚機能を高めることができる。
【００２１】
なお、上記各構成において、固定部材や筒状部は、柔軟性と弾力性を有する素材により形成するのが好ましい。また、上記各構成において、「魚釣り用部材」を「集魚機能を有する錘」としてもよい。
【発明の効果】
【００２２】
本発明に基づく魚釣り用部材によれば、固定部材（又は筒状部）により、連結部と他の部材側の連結部材とを一体に固定することができるので、連結部と連結部材とのがたつきが解消されて、魚の当たり等の小さな衝撃を即座に確実に釣り竿側に伝えることができ、よって、釣り竿等の操作のタイミングが遅れることがない。
【発明を実施するための最良の形態】
【００２３】
本発明においては、集魚機能を有する錘としての魚釣り用部材であって、釣糸との連結部分のガタをなくして、魚の当たりを即座に伝えることができる魚釣り用部材を提供するという目的を以下のようにして実現した。
【００２４】
本発明の実施例１に基づく魚釣り用部材（「集魚機能を有する錘」としてもよい）Ａは、集魚器として機能するとともに、中錘（なかおもり）として機能するものであり、図１に示されるように、本体部１０と、筒状部（チューブ部としてもよい）（固定部材）５０とを有している。
【００２５】
ここで、本体部１０は、錘（おもり）２０と、ビーズ群２２と、連結部３０と、糸状部４０とを有している。
【００２６】
錘２０は、略紡錘型（紡錘型としてもよい）を呈し、鉛等の金属により形成されている。また、錘２０には、糸状部４０を挿通するための貫通穴が形成されている。また、錘２０の表面は、蓄光処理が施されていて、蓄光機能を発揮することができる。つまり、例えば、錘２０の表面に蓄光塗料を塗布することにより、蓄光処理を施している。
【００２７】
また、ビーズ群２２は、複数種類の形状、大きさのビーズから構成され、略球形（球形としてもよい）のビーズ２４と、略球形（球形としてもよい）のビーズ２６と、略円筒状（円筒状としてもよい）のビーズ２８とを有している。ビーズ２４とビーズ２６はともに略球形であるが、ビーズ２４はビーズ２６よりも大きく形成されている。また、各ビーズには、糸状部４０を通すための貫通穴が設けられている。より具体的には、錘２０の上側と下側に複数のビーズ２４が設けられ、上側の複数のビーズ２４の上側には、ビーズ２６とビーズ２８が交互に設けられている。また、下側の複数のビーズ２４の下側には、ビーズ２６とビーズ２８が交互に設けられている。つまり、ビーズ群２２は、錘２０を中心に上側と下側とで対称に形成されている。また、ビーズ２４とビーズ２８の表面は、光を反射するように光を反射する素材により構成されていて、例えば、光沢のある素材により形成されている。また、ビーズ２６の表面は、上記錘２０と同様に、蓄光処理が施されていて、蓄光機能を発揮することができる。つまり、例えば、ビーズ２６の表面に蓄光塗料を塗布することにより、蓄光処理を施している。なお、上記錘２０と、ビーズ群２２とで、上記直列状本体部が構成される。
【００２８】
また、連結部３０は、魚釣り用部材Ａの上端と下端とに設けられ、いわゆる、スナップと呼ばれる部材である。つまり、魚釣り用部材Ａの上端に設けられた連結部３０を例にとって説明すると、図２、図３に示すように、連結部３０は、基端部３０ａと、棒状部３０ｂと、棒状部３０ｃと、棒状部３０ｄと、湾曲部３０ｅと、棒状部３０ｆと、ループ状部３０ｇとを有していて、全体に１本の針金状部材を湾曲又は折曲して形成した形状を呈している。ここで、基端部３０ａは、円弧状に湾曲した形状を呈し、その内側に糸状部４０を挿通可能な開口部を有している。また、棒状部３０ｂは、直線状の棒状を呈し基端部３０ａの一方の端部から斜め上方に伸びて形成されている。また、棒状部３０ｃは、棒状部３０ｂの端部に連設されていて、斜め下方に外側に伸びて形成されている。また、湾曲部３０ｅは、棒状部３０ｄの端部から連設されていて、斜め下方に伸びるとともに内側、つまり、棒状部３０ｂの方向に向けて湾曲した形状を呈している。また、棒状部３０ｆは、直線状の棒状を呈し基端部３０ａの他方の端部から斜め上方に伸びて形成されている。この棒状部３０ｆが伸びる方向は棒状部３０ａとは略対称の方向となっている。また、ループ状部３０ｇは、棒状部３０ｆの端部から連設されていて、ループ状、具体的には、円環状を呈している。このループ状部３０ｇの開口部には、湾曲部３０ｅが挿通されている。この連結部３０は、金属製であり、棒状部３０ｆを棒状部３０ｂ側に押しつけることにより湾曲部３０ｅとループ状部３０ｇとの間に環状部６４を通すための空間を形成することができ、また、棒状部３０ｆを棒状部３０ｂ側に押しつけた状態でその状態を解除すると、ループ状部３０ｇは、湾曲部３０ｅに掛止された状態に復帰するようになっている。また、基端部３０ａの両端部間や棒状部３０ｂと棒状部３０ｆ間は隙間がないように形成されていて、基端部３０ａの開口部に挿通された糸状部が上方に抜けないようになっている。
【００２９】
なお、連結部３０の構成を上記の構成として説明したが、他の形状のスナップでもよく、また、連結部材６０が掛止可能で、かつ、糸状部４０と接続可能な構成であれば、他の構成であってもよい。
【００３０】
また、糸状部４０は、糸状を呈する部材であり、上記錘２０とビーズ群２２を構成する各ビーズの貫通穴に挿通するとともに、その端部が連結部３０に固定されている。つまり、糸状部４０の上端部分は、上端位置の連結部３０に固定され、糸状部４０の下端部分は、下端位置の連結部３０に固定されている。なお、糸状部４０の連結部３０への固定に当たっては、図２、図３に示すように、糸状部４０の端部を連結部３０の基端部３０ａに巻回した上で糸状部４０の端部を固定具４２で固定している。この固定具４２は、糸状部４０を挿通するとともに、糸状部４０の端部を固定している。なお、下端側の連結部３０においても、糸状部４０は上記と同様にして取り付けられている。
【００３１】
次に、筒状部５０は、筒状、具体的には、円筒状の部材であり、柔軟性と弾力性とを有する素材（例えば、シリコーンゴム）により形成され、さらに、透明（又は半透明）な素材により形成されている。この筒状部５０の周面には、穴等は設けられていない。この筒状部５０の内径は、ビーズ２６の直径と略同一又はビーズ２６の直径よりも若干大きい大きさとなっている。なお、この筒状部５０は柔軟性、弾力性のある素材により形成されているので、筒状部５０の内径も外周方向に力を加えることにより大きくすることができる。この筒状部５０は、筒状部５０を固定部材として使用しない状態では、ビーズ２６とビーズ２８とが交互に設けられた部分をカバーするとともに、連結部３０の一部をカバーする位置に設けられていて、この筒状部５０は、図１、図２に示すように、連結部３０の全部をカバーしない（つまり、包み込まない）状態から、図３に示すように、連結部３０の全部をカバーする（つまり、包み込む）状態になるように、移動させることが可能である。また、魚釣り用部材Ａには、２つの筒状部５０が設けられているが、２つの筒状部５０は同様の構成である。
【００３２】
上記構成の魚釣り用部材Ａの使用状態について説明する。魚釣り用部材Ａを使用しない場合には、図１に示すように、筒状部５０を魚釣り用部材Ａの中央側に配置しておき、連結部３０の全部を包み込まない状態としておく。つまり、少なくとも、連結部３０の少なくとも一部を筒状部５０から露出させて、連結部材６０を連結部３０に連結できる状態にしておく。
【００３３】
そして、魚釣り用部材Ａを使用する場合には、２つの連結部３０のうちの一方を釣り竿側の釣糸に連結させるとともに、他方を仕掛け側の釣糸に連結させる。該仕掛けは、釣糸と、該釣糸に設けられた錘と、該釣糸に設けられた釣り針等を有しているものとする。
【００３４】
ここで、釣糸との連結状態を詳細に示すと、図２、図３に示すように、釣糸７０は、連結部材６０に結びつけられていて、該連結部材６０は、連結部材本体６２と、該連結部材本体６２の両側に設けられた環状部６４とを有していて、一方の環状部６４には、釣糸７０が結ばれている。このように釣糸に連結部３０に掛止するための掛止用部材としての環状部６４が設けられることにより、連結部３０に連結できるようになっている。このような構成は、釣り竿側の釣糸のみならず、仕掛け側の釣糸においても同様である。
【００３５】
そして、釣糸７０を魚釣り用部材Ａと連結させる場合には、環状部６４を連結部３０に連結させる。つまり、環状部６４により連結部３０の棒状部３０ｆを押しつけた状態としてループ状部３０ｇと湾曲部３０ｅ間に隙間を形成させた後に、環状部６４を棒状部３０ｃ側（つまり、連結部３０の先端側）に移動させる。すると、ループ状部３０ｇは湾曲部３０ｅ側に復帰して環状部６４が連結部３０に連結される。このようにすることにより、釣糸７０と魚釣り用部材Ａとを連結させることができる。
【００３６】
以上のようにして、魚釣り用部材Ａの上側に釣り竿側の釣糸を連結させるとともに、魚釣り用部材Ａの下側に仕掛け側の釣糸を連結させることにより、魚釣り用部材Ａの取付けを行う。
【００３７】
そして、筒状部５０を連結された釣糸側に移動させて、魚釣り用部材Ａと釣糸の連結部分、厳密には、連結部３０と連結部材６０との連結部分をカバーするようにする。つまり、図３に示すように、筒状部５０によって、連結部材６０の少なくとも一部と連結部３０とがカバーされるようにする。このようにすることにより、連結部３０と連結部材６０とを一体に固定することができる。この作業は、釣り竿側の釣糸との連結部分のみならず、仕掛け側の釣糸との連結部分においても行なう。
【００３８】
このような状態で釣りを行えば、魚釣り用部材Ａにおける連結部３０と釣糸７０側の連結部材６０とが筒状部５０により一体に固定された状態となっているので、魚釣り用部材Ａと釣糸との連結部分においてがたつきがなく、よって、魚の仕掛けに対する当たりが即座に正確に仕掛けから魚釣り用部材Ａに伝わり、さらに、魚釣り用部材Ａから釣り竿側の釣糸に伝わり、よって、魚が仕掛けに接触した場合には、釣りを行っている者は即座にこれを感知して操作を行うことができ、釣り竿等の操作のタイミングが遅れることがなく、釣果の向上に寄与することができる。
【００３９】
なお、この魚釣り用部材Ａには、ビーズ群２２が設けられているので、光がビーズ群２２を構成する各ビーズ、特に、光の反射機能を有するビーズ２４やビーズ２８により反射（特に、乱反射）して、集魚効果を高めることができる。特に、筒状部５０が透明又は半透明な部材により構成されているので、筒状部５０によりカバーされたビーズ２８によっても光が反射されるので、より集魚効果を高めることができる。また、濁った水中や暗い水中において釣りを行う場合には、錘２０やビーズ２６が蓄光機能を有しているので、錘２０やビーズ２６の表面に蓄光させておき、その後水中に発光させることにより、集魚機能を得ることができる。このように、昼間等の明るい場所や夜等の暗い場所等釣りを行う状況に拘わらず集魚機能を得ることができる。
【００４０】
また、この魚釣り用部材Ａは、錘２０を有しているので、特にこの錘２０の重みにより魚釣り用部材Ａは、中錘としての機能も果たす。
【００４１】
なお、魚釣り用部材Ａから釣糸７０を取り外すには、筒状部５０を移動させて連結部３０を露出させた後に、棒状部３０ｆを棒状部３０ｂ側に押しつけた状態として隙間を形成した後に、環状部６４を外せばよい。つまり、釣り竿側の釣糸も仕掛け側の釣糸も連結部材６０を連結部３０から外すことにより、釣糸７０を外すことができる。
【００４２】
なお、上記錘１２０とビーズ群１２２を構成する各ビーズにおいて、錘１２０とビーズ１２６が蓄光機能を有し、他のビーズが光を反射する機能を有するとして説明したが、これには限られず、錘１２０とビーズ群１２２を構成する各ビーズにおいて、一部が蓄光機能を有し、他が光を反射する機能を有するものであればよい。また、上記の構成において、錘１２０の代わりに、集魚機能を有する部材を設けて、中錘としての機能を除いた構成としてもよい。
【００４３】
また、上記筒状部５０は、連結部３０と連結部材６０とを一体に固定できるものであればよく、例えば、筒状部５０のメッシュ状の素材により形成されていてもよく、また、筒状部５０と異なり、例えば、コイルスプリング状の部材とすることも考えられる。
【００４４】
次に、本発明の実施例２に基づく魚釣り用部材（「集魚機能を有する錘」としてもよい）Ｂは、集魚器として機能するとともに、中錘（なかおもり）として機能するものであり、図４に示されるように、本体部１１０と、筒状部（チューブ部としてもよい）（固定部材）１５０とを有している。
【００４５】
ここで、本体部１１０は、錘１２０と、ビーズ群１２２と、連結部１３０と、糸状部１４０とを有している。
【００４６】
錘１２０は、略紡錘型（紡錘型としてもよい）を呈し、鉛等の金属により形成されている。また、錘１２０には、糸状部１４０を挿通するための貫通穴が形成されている。また、錘１２０の表面は、蓄光処理が施されていて、蓄光機能を発揮することができる。
【００４７】
また、ビーズ群１２２は、複数種類の形状、大きさのビーズから構成され、略球形（球形としてもよい）のビーズ１２４と、略紡錘型（紡錘型としてもよい）のビーズ１２６と、略球形（球形としてもよい）のビーズ１２８とを有している。ビーズ１２６は略紡錘型であるが、錘１２０と比べると錘１２０よりも小さく形成され、また、ビーズ１２４とビーズ１２８はともに略球形であるが、ビーズ１２４はビーズ１２８よりも大きく形成されている。また、各ビーズには、糸状部１４０を通すための貫通穴が設けられている。より具体的には、錘１２０の上側と下側に複数のビーズ１２４が設けられ、上側の複数のビーズ１２４の上側にはビーズ１２６が設けられ、さらに、ビーズ１２６の上側には複数のビーズ１２４が設けられ、その上側には複数のビーズ１２８が設けられている。また、下側の複数のビーズ１２４の下側にはビーズ１２６が設けられ、さらに、ビーズ１２６の下側には複数のビーズ１２４が設けられ、その下側には複数のビーズ１２８が設けられている。つまり、ビーズ群１２２は、錘１２０を中心に上側と下側とで対称に形成されている。また、錘１２０と、ビーズ群１２２を構成する各ビーズにおける一部の表面には光を反射する機能が設けられ、他の表面には蓄光処理が施されている。例えば、錘１２０と、ビーズ１２６と、ビーズ１２８には、蓄光処理が施され、他のビーズは光を反射する素材により構成されていて、例えば、光沢のある素材により形成されている。なお、上記錘１２０と、ビーズ群１２２とで、上記直列状本体部が構成される。
【００４８】
また、連結部１３０は、魚釣り用部材Ｂの上端と下端とに設けられ、いわゆる、スナップと呼ばれる部材である。つまり、魚釣り用部材Ｂの上端に設けられた連結部１３０を例にとって説明すると、図５に示すように、連結部１３０は、本体部１３２と、掛止部１３４と、基端部１３６とを有している。そして、本体部１３２は、平板状部１３２ａと、固定部１３２ｂと、保持部１３２ｃを有し、固定部１３２ｂは、掛止部１３４の端部（つまり、棒状部１３４ａの端部）を固定しており、また、保持部１３２ｃは、掛止部１３４の他方の端部（つまり、棒状部１３４ｃの端部側部分）を着脱して保持可能となっている。つまり、固定部１３２ｂと保持部１３２ｃはともに金属製の板状部材の端部を巻回させて形成したものであり、固定部１３２ｂは、掛止部１３４の端部に嵌合して固定しており、また、保持部１３２ｃについては、その上側部分（つまり、掛止部１３４が設けられている側の部分）において、保持部１３２ｃの端部と平板状部１３２ａとの間に所定の隙間を設けて、掛止部１３４における棒状部１３４ｃが着脱自在となっている。
【００４９】
また、掛止部１３４は、線状部材を折曲した形状を呈し、棒状部（線状部としてもよい）１３４ａと、棒状部（線状部としてもよい）１３４ｂと、棒状部１３４ｃ（線状部としてもよい）とを有している。つまり、棒状部１３４ａは、直線状の棒状を呈し、その端部は、固定部１３２ｂに固定されている。また、棒状部１３４ｂは、棒状部１３４ａの端部から連設され、棒状部１３４ａに対して鋭角に屈曲して形成されている。また、棒状部１３４ｃは、棒状部１３４ｂの端部から連設され、棒状部１３４ａと略平行に設けられている。この掛止部１３４は、金属等の弾性を有する部材により構成され、棒状部１３４ｃは、保持部１３２ｃに保持されるように付勢され、棒状部１３４ｃを保持部１３２ｃから離脱させて掛止部１３４を開状態にするには、棒状部１３４ｃを付勢方向とは反対方向に移動させるようにする。
【００５０】
また、基端部１３６は、本体部１３２に設けられ、糸状部１４０を結ぶことができるようにループ状（Ｕ字状としてもよい）に形成されている。具体的には、基端部１３６の一方の端部は、固定部１３２ｂに固定され、他方の端部は保持部１３２ｃに固定されている。つまり、保持部１３２ｃの下側部分においては、保持部１３２ｃと平板状部１３２ａとの間には隙間は設けられておらず、保持部１３２ｃの下側部分は、基端部１３６を固定している。
【００５１】
なお、連結部１３０の構成を上記の構成として説明したが、他の形状のスナップでもよく、また、連結部材１６０が掛止可能で、かつ、糸状部１４０と接続可能な構成であれば、他の構成であってもよい。
【００５２】
また、糸状部１４０は、糸状を呈する部材であり、上記錘１２０とビーズ群１２２を構成する各ビーズの貫通穴に挿通するとともに、その端部が連結部１３０に固定されている。つまり、糸状部１４０の上端部分は、上端位置の連結部１３０に固定され、糸状部１４０の下端部分は、下端位置の連結部１３０に固定されている。なお、糸状部１４０の連結部１３０への固定に当たっては、図５、図６に示すように、糸状部１４０の端部を連結部１３０の基端部１３６に巻回した上で糸状部１４０の端部を固定具１４２で固定している。この固定具１４２は、糸状部１４０を挿通するとともに、糸状部１４０の端部を固定している。なお、下端側の連結部１３０においても、糸状部１４０は上記と同様にして取り付けられている。
【００５３】
次に、筒状部１５０は、筒状、具体的には、円筒状の部材であり、柔軟性と弾力性とを有する素材（例えば、シリコーンゴム）により形成され、さらに、透明（又は半透明）な素材により形成されている。この筒状部１５０の周面には、穴等は設けられていない。この筒状部１５０の内径は、ビーズ１２８の直径と略同一又はビーズ１２８の直径よりも若干大きい大きさとなっている。よって、筒状部１５０は、ビーズ１２８の外周にぴったり接して設けられている。なお、この筒状部１５０は柔軟性、弾力性のある素材により形成されているので、筒状部１５０の内径も外周方向に力を加えることにより大きくすることができる。また、この筒状部１５０は、図４、図５に示すように、連結部１３０をカバーしない（つまり、包み込まない）状態から、図６に示すように、連結部１３０をカバーする（つまり、包み込む）状態になるように、移動させることが可能である。また、魚釣り用部材Ｂには、２つの筒状部１５０が設けられているが、２つの筒状部１５０は同様の構成である。
【００５４】
上記構成の魚釣り用部材Ｂの使用状態について説明する。魚釣り用部材Ｂを使用しない場合には、筒状部１５０を魚釣り用部材Ｂの中央側に配置しておき、連結部１３０を包み込まない状態としておく。つまり、少なくとも、連結部１３０における掛止部１３４を筒状部１５０から露出した状態としておく。
【００５５】
そして、魚釣り用部材Ｂを使用する場合には、２つの連結部１３０のうちの一方を釣り竿側の釣糸に連結させるとともに、他方を仕掛け側の釣糸に連結させる。該仕掛けは、釣糸と、該釣糸に設けられた錘と、該釣糸に設けられた釣り針等を有しているものとする。
【００５６】
ここで、釣糸との連結状態を詳細に示すと、図５、図６に示すように、釣糸１７０は、連結部材１６０に結びつけられていて、該連結部材１６０は、連結部材本体１６２と、該連結部材本体１６２の両側に設けられた環状部１６４とを有していて、一方の環状部１６４には、釣糸１７０が結ばれている。このように釣糸に連結部１３０に掛止するための掛止用部材としての環状部１６４が設けられることにより、連結部１３０に連結できるようになっている。このような構成は、釣り竿側の釣糸のみならず、仕掛け側の釣糸においても同様である。
【００５７】
そして、釣糸１７０を魚釣り用部材Ｂと連結させる場合には、環状部１６４を連結部１３０に連結させる。つまり、掛止部１３４の棒状部１３４ｃを保持部１３２ｃから外した状態として、環状部１６４に掛止部１３４を挿通させ、その後、棒状部１３４ｃをもとに戻して保持部１３２ｃに保持された状態とする。このようにすることにより、釣糸１７０と魚釣り用部材Ｂとを連結させることができる。
【００５８】
以上のようにして、魚釣り用部材Ｂの上側に釣り竿側の釣糸を連結させるとともに、魚釣り用部材Ｂの下側に仕掛け側の釣糸を連結させることにより、魚釣り用部材Ｂの取付けを行う。
【００５９】
そして、筒状部１５０を連結された釣糸側に移動させて、魚釣り用部材Ｂと釣糸の連結部分、厳密には、連結部１３０と連結部材１６０との連結部分をカバーするようにする。つまり、図６に示すように、筒状部１５０によって、連結部材１６０の少なくとも一部と連結部１３０とがカバーされるようにする。このようにすることにより、連結部１３０と連結部材１６０とを一体に固定することができる。この作業は、釣り竿側の釣糸との連結部分のみならず、仕掛け側の釣糸との連結部分においても行なう。
【００６０】
このような状態で釣りを行えば、魚釣り用部材Ｂにおける連結部１３０と釣糸１７０側の連結部材１６０とが筒状部１５０により一体に固定された状態となっているので、魚釣り用部材Ｂと釣糸との連結部分においてがたつきがなく、よって、魚の仕掛けに対する当たりが即座に正確に仕掛けから魚釣り用部材Ｂに伝わり、さらに、魚釣り用部材Ｂから釣り竿側の釣糸に伝わり、よって、魚が仕掛けに接触した場合には、釣りを行っている者は即座にこれを感知して操作を行うことができ、釣り竿等の操作のタイミングが遅れることがなく、釣果の向上に寄与することができる。
【００６１】
なお、この魚釣り用部材Ｂには、錘１２０やビーズ群１２２が設けられているので、錘１２０とビーズ群１２２を構成する各ビーズにおいて、光を反射するものにより光が反射（特に、乱反射）されることにより、集魚効果を高めることができる。また、濁った水中や暗い水中において釣りを行う場合には、錘１２０とビーズ群１２２において蓄光機能を有するものにより発光することから、集魚機能を得ることができる。つまり、蓄光処理が施されたものの表面に蓄光させておき、その後水中に発光させることにより、集魚機能を得ることができる。また、特に、筒状部１５０が透明又は半透明な部材により構成されているので、筒状部１５０によりカバーされたビーズ１２８によっても集魚機能を得ることができる。
【００６２】
また、この魚釣り用部材Ｂは、錘１２０を有しているので、この錘１２０の重みにより魚釣り用部材Ｂは、中錘としての機能も果たす。
【００６３】
なお、魚釣り用部材Ｂから釣糸１７０を取り外すには、筒状部１５０を移動させて連結部１３０の掛止部１３４を露出させ、掛止部１３４の棒状部１３４ｃを保持部１３２ｃから外した状態として環状部１６４を外せばよい。つまり、釣り竿側の釣糸も仕掛け側の釣糸も連結部材１６０を連結部１３０から外すことにより、釣糸１７０を外すことができる。
【００６４】
また、上記の構成において、錘１２０の代わりに、集魚機能を有する部材を設けて、中錘としての機能を除いた構成としてもよい。また、上記筒状部１５０は、連結部１３０と連結部材１６０とを一体に固定できるものであればよく、例えば、筒状部１５０のメッシュ状の素材により形成されていてもよく、また、筒状部１５０と異なり、例えば、コイルスプリング状の部材とすることも考えられる。
【図面の簡単な説明】
【００６５】
【図１】本発明の実施例１の魚釣り用部材の構成を示す斜視図である。
【図２】本発明の実施例１の魚釣り用部材における連結部と釣糸に設けられた連結部材との連結状態を示す要部斜視図で、筒状部でカバーする前の状態を示す要部斜視図である。
【図３】本発明の実施例１の魚釣り用部材における連結部と釣糸に設けられた連結部材との連結状態を示す要部斜視図で、筒状部でカバーした状態を示す要部斜視図である。
【図４】本発明の実施例２の魚釣り用部材の構成を示す斜視図である。
【図５】本発明の実施例２の魚釣り用部材における連結部と釣糸に設けられた連結部材との連結状態を示す要部斜視図で、筒状部でカバーする前の状態を示す要部斜視図である。
【図６】本発明の実施例２の魚釣り用部材における連結部と釣糸に設けられた連結部材との連結状態を示す要部斜視図で、筒状部でカバーした状態を示す要部斜視図である。
【符号の説明】
【００６６】
Ａ、Ｂ  魚釣り用部材
１０、１１０  本体部
２０、１２０  錘
２２、１２２  ビーズ群
２４、２６、２８、１２４、１２６、１２８  ビーズ
３０、１３０  連結部
４０、１４０  糸状部
５０、１５０  筒状部
６０、１６０  連結部材
７０、１７０  釣糸
【図１】
2006087320.tif 000003
【図２】
2006087320.tif 000004
【図３】
2006087320.tif 000005
【図４】
2006087320.tif 000006
【図５】
2006087320.tif 000007
【図６】
2006087320.tif 000008